(57)【要約】【課題】  冷却装置の導風装置の提供。【解決手段】  ＣＰＵの上表面に取り付けられるベース、ベースの上に設けられるヒートシンク、ヒートシンクの外側辺に取り付けられて外界の風をヒートシンク部分に導入する冷却ファンを具え、該導風装置にベースの少なくとも一側辺にあって切欠きが形成され、該切欠きがＣＰＵ周辺のその他の電子装置に対応し、ヒートシンクの対応部分にも切欠きが設けられている。これにより、冷却ファンが導入する外界の風が切欠きを通り、各電子装置が運転により発生する熱をヒートシンク外部に奪い去り、ＣＰＵ周辺のその他の電子装置に対しても冷却の効果を達成する。【選択図】        図７
0003104468.tif 000002
【実用新案登録請求の範囲】
【請求項１】
ＣＰＵの上表面に取り付けられるベースと、
該ベースの上に取り付けられ、離間配置された複数のフィンが重ね置かれてなるヒートシンクと、
該ヒートシンクの一側に取り付けられ、外界の風をヒートシンク部分に導入する冷却ファンと、
を具え、ベースの少なくとも一側に切欠きが設けられ、該切欠きがＣＰＵの近隣のその他の電子装置に対応し、ヒートシンクの対応部分にも切欠きが設けられたことを特徴とする、冷却装置の導風装置。
【請求項２】
請求項１記載の冷却装置の導風装置において、ベースの四周よりそれぞれ凸塊が延伸され、これら凸塊にバネを巻装したネジ部品が螺合されたことを特徴とする、冷却装置の導風装置。
【請求項３】
請求項１記載の冷却装置の導風装置において、ベースの一側に相互に一定距離離間した二つの固定片がネジ部品で固定され、冷却ファンが該固定片に固定されたことを特徴とする、冷却装置の導風装置。
【請求項４】
請求項１記載の冷却装置の導風装置において、ヒートシンクの複数のフィンが直立するよう配列されたことを特徴とする、冷却装置の導風装置。
【請求項５】
請求項１又は請求項４記載の冷却装置の導風装置において、ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、冷却装置の導風装置。
【請求項６】
冷却装置の導風装置において、
ＣＰＵの上表面に取り付けられるベースと、
該ベースの上に取り付けられ、離間配置された複数のフィンが重ね置かれてなる第１ヒートシンクと、
第１ヒートシンクの隣に位置し、離間配置された複数のフィンが重ね置かれてなる第２ヒートシンクと、
第１ヒートシンクの第２ヒートシンクと隣り合わない反対側の外側に位置する第１冷却ファンと、
第２ヒートシンクの第１ヒートシンクと隣り合わない反対側の外側に位置する第２冷却ファンと、
を具え、第１冷却ファンと第２冷却ファンの回転方向が同じとされ、ベースの少なくとも一側に切欠きが設けられ、該切欠きがＣＰＵの近隣のその他の電子装置に対応し、第１ヒートシンクの対応部分にも切欠きが設けられたことを特徴とする、冷却装置の導風装置。
【請求項７】
請求項６記載の冷却装置の導風装置において、ベースの四周よりそれぞれ凸塊が延伸され、これら凸塊にバネを巻装したネジ部品が螺合されたことを特徴とする、冷却装置の導風装置。
【請求項８】
請求項６記載の冷却装置の導風装置において、ベースの一側に相互に一定距離離間した二つの固定片がネジ部品で固定され、第１冷却ファンが該固定片に固定されたことを特徴とする、冷却装置の導風装置。
【請求項９】
請求項６記載の冷却装置の導風装置において、第１ヒートシンクの複数のフィンが直立するよう配列されたことを特徴とする、冷却装置の導風装置。
【請求項１０】
請求項６又は請求項９記載の冷却装置の導風装置において、第１ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、冷却装置の導風装置。
【請求項１１】
請求項６記載の冷却装置の導風装置において、第２ヒートシンクのフィンが横向き配列を呈することを特徴とする、冷却装置の導風装置。
【請求項１２】
請求項６又は請求項１１記載の冷却装置の導風装置において、第２ヒートシンクにＬ形ヒートパイプが組み付けられ、該Ｌ形ヒートパイプの一方の自由端がそのフィンを貫通し、もう一方の自由端が導熱板に設置され、該導熱板がベースの底面に固定され、第２ヒートシンクがベースの一側の上方部分に懸吊状態とされ、並びに第１ヒートシンクと隣り合うよう配置されたことを特徴とする、冷却装置の導風装置。
【請求項１３】
請求項６の冷却装置の導風装置において、第２ヒートシンクの二つの対応する側辺より下向きに位置決め片が延伸され、二つの位置決め片がプリント回路板に直接ネジ止めされることを特徴とする、冷却装置の導風装置。
【請求項１４】
請求項６の冷却装置の導風装置において、第１冷却ファンが外界の風を隣り合う二つのヒートシンク部分に導入し、第２冷却ファンが二つのヒートシンク部分の伝導する熱を外界に排出することを特徴とする、冷却装置の導風装置。
【考案の詳細な説明】
【技術分野】
【０００１】
本考案はＣＰＵの上表面に取り付けられるベース、ベースの上に設けられるヒートシンク、ヒートシンクの外側辺に取り付けられて外界の風をヒートシンク部分に導入する冷却ファンを具え、該導風装置にベースの少なくとも一側辺にあって切欠きが形成され、該切欠きがＣＰＵ周辺のその他の電子装置に対応し、ヒートシンクの対応部分にも切欠きが設けられている。これにより、冷却ファンが導入する外界の風が切欠きを通り、各電子装置が運転により発生する熱をヒートシンク外部に奪い去り、ＣＰＵ周辺のその他の電子装置に対しても冷却の効果を達成する。
【背景技術】
【０００２】
ＣＰＵ２０ａに使用される伝統的な冷却装置１０ａは図１に示されるようであり、該冷却装置１０ａはＣＰＵ２０ａの上に当接する導熱板１ａを具え、導熱板１ａの上にヒートシンク２ａが設けられ、該ヒートシンク２ａは複数の等間隔に且つ直立するよう配置されたフィン２１ａで構成されている。また、ヒートシンク２ａの上に覆い３ａが設けられ、該覆い３ａの上に冷却ファン４ａが固定されている。使用時に、ＣＰＵ２０ａが運転時に発生する熱は導熱板１ａより上向きにヒートシンク２ａに伝えられ、さらに冷却ファン４ａにより外界の空気が該ヒートシンク２ａ部分に導入されて、ヒートシンク２ａの熱が奪われ、こうして冷却の効果が達成される。
【０００３】
上述の周知の冷却装置１０ａの導熱板１ａは全体がＣＰＵ２０ａの上表面に当接し、ゆえにＣＰＵ２０ａに対してしか冷却が行なえず、ＣＰＵ２０ａ周辺に取り付けられたその他の電子装置はいずれも導熱板１ａの下方に位置するが、導熱板１ａと接触していないため、導熱板１ａがその他の電子装置の発生する熱を伝導する時、その熱伝導冷却効率は不足し、特に、現在各電子装置の運転速度が速くなるにつれ、発生する熱も多くなり、ゆえに、ＣＰＵ２０ａ周辺のその他の電子装置に対してもいかに急速な冷却を行なうかが、関係者の解決すべき課題である。
【考案の開示】
【考案が解決しようとする課題】
【０００４】
本考案の主要な目的は、一種の冷却装置の導風装置を提供することにあり、それは冷却装置にＣＰＵ周辺のその他の電子装置に対しても冷却の効果を達成させられるようにした装置であるものとする。
【課題を解決するための手段】
【０００５】
請求項１の考案は、
ＣＰＵの上表面に取り付けられるベースと、
該ベースの上に取り付けられ、離間配置された複数のフィンが重ね置かれてなるヒートシンクと、
該ヒートシンクの一側に取り付けられ、外界の風をヒートシンク部分に導入する冷却ファンと、
を具え、ベースの少なくとも一側に切欠きが設けられ、該切欠きがＣＰＵの近隣のその他の電子装置に対応し、ヒートシンクの対応部分にも切欠きが設けられたことを特徴とする、冷却装置の導風装置としている。
請求項２の考案は、請求項１記載の冷却装置の導風装置において、ベースの四周よりそれぞれ凸塊が延伸され、これら凸塊にバネを巻装したネジ部品が螺合されたことを特徴とする、冷却装置の導風装置としている。
請求項３の考案は、請求項１記載の冷却装置の導風装置において、ベースの一側に相互に一定距離離間した二つの固定片がネジ部品で固定され、冷却ファンが該固定片に固定されたことを特徴とする、冷却装置の導風装置としている。
請求項４の考案は、請求項１記載の冷却装置の導風装置において、ヒートシンクの複数のフィンが直立するよう配列されたことを特徴とする、冷却装置の導風装置としている。
請求項５の考案は、請求項１又は請求項４記載の冷却装置の導風装置において、ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、冷却装置の導風装置としている。
請求項６の考案は、冷却装置の導風装置において、
ＣＰＵの上表面に取り付けられるベースと、
該ベースの上に取り付けられ、離間配置された複数のフィンが重ね置かれてなる第１ヒートシンクと、
第１ヒートシンクの隣に位置し、離間配置された複数のフィンが重ね置かれてなる第２ヒートシンクと、
第１ヒートシンクの第２ヒートシンクと隣り合わない反対側の外側に位置する第１冷却ファンと、
第２ヒートシンクの第１ヒートシンクと隣り合わない反対側の外側に位置する第２冷却ファンと、
を具え、第１冷却ファンと第２冷却ファンの回転方向が同じとされ、ベースの少なくとも一側に切欠きが設けられ、該切欠きがＣＰＵの近隣のその他の電子装置に対応し、第１ヒートシンクの対応部分にも切欠きが設けられたことを特徴とする、冷却装置の導風装置としている。
請求項７の考案は、請求項６記載の冷却装置の導風装置において、ベースの四周よりそれぞれ凸塊が延伸され、これら凸塊にバネを巻装したネジ部品が螺合されたことを特徴とする、冷却装置の導風装置としている。
請求項８の考案は、請求項６記載の冷却装置の導風装置において、ベースの一側に相互に一定距離離間した二つの固定片がネジ部品で固定され、第１冷却ファンが該固定片に固定されたことを特徴とする、冷却装置の導風装置としている。
請求項９の考案は、請求項６記載の冷却装置の導風装置において、第１ヒートシンクの複数のフィンが直立するよう配列されたことを特徴とする、冷却装置の導風装置としている。
請求項１０の考案は、請求項６又は請求項９記載の冷却装置の導風装置において、第１ヒートシンクにコ形ヒートパイプが組み付けられ、該コ形ヒートパイプの一方の自由端がそのフィンを貫通し、もう一方の自由端がベースの中間部分に設けられた凹溝内に設置されたことを特徴とする、冷却装置の導風装置としている。
請求項１１の考案は、請求項６記載の冷却装置の導風装置において、第２ヒートシンクのフィンが横向き配列を呈することを特徴とする、冷却装置の導風装置としている。
請求項１２の考案は、請求項６又は請求項１１記載の冷却装置の導風装置において、第２ヒートシンクにＬ形ヒートパイプが組み付けられ、該Ｌ形ヒートパイプの一方の自由端がそのフィンを貫通し、もう一方の自由端が導熱板に設置され、該導熱板がベースの底面に固定され、第２ヒートシンクがベースの一側の上方部分に懸吊状態とされ、並びに第１ヒートシンクと隣り合うよう配置されたことを特徴とする、冷却装置の導風装置としている。
請求項１３の考案は、請求項６の冷却装置の導風装置において、第２ヒートシンクの二つの対応する側辺より下向きに位置決め片が延伸され、二つの位置決め片がプリント回路板に直接ネジ止めされることを特徴とする、冷却装置の導風装置としている。
請求項１４の考案は、請求項６の冷却装置の導風装置において、第１冷却ファンが外界の風を隣り合う二つのヒートシンク部分に導入し、第２冷却ファンが二つのヒートシンク部分の伝導する熱を外界に排出することを特徴とする、冷却装置の導風装置としている。
【考案の効果】
【０００６】
本考案の冷却装置の導風装置は、ＣＰＵの上表面に取り付けられるベース、ベースの上に設けられるヒートシンク、ヒートシンクの外側辺に取り付けられて外界の風をヒートシンク部分に導入する冷却ファンを具え、該導風装置にベースの少なくとも一側辺にあって切欠きが形成され、該切欠きがＣＰＵ周辺のその他の電子装置に対応し、ヒートシンクの対応部分にも切欠きが設けられている。これにより、冷却ファンが導入する外界の風が切欠きを通り、各電子装置が運転により発生する熱をヒートシンク外部に奪い去り、ＣＰＵ周辺のその他の電子装置に対しても冷却の効果を達成する。
【考案を実施するための最良の形態】
【０００７】
本考案によると、冷却装置はＣＰＵの上表面に取り付けられるベース、ベースの上に設けられると共に複数の等間隔且つ直立に配列されたフィンが重ね置かれてなるヒートシンク、ヒートシンクの外側辺に取り付けられて外界の風をヒートシンク部分に導入する冷却ファンを具えている。該導風装置にベースの少なくとも一側辺にあって切欠きが形成され、該切欠きがＣＰＵ周辺のその他の電子装置に対応し、ヒートシンクの対応部分にも切欠きが設けられている。これにより、冷却ファンが導入する外界の風が切欠きを通り、各電子装置が運転により発生する熱をヒートシンク外部に奪い去り、ＣＰＵ周辺のその他の電子装置に対しても冷却の効果を達成する。
【０００８】
本考案はまた、冷却装置のベースの上に隣り合う二つの第１ヒートシンクと第２ヒートシンクが設けられ、第１ヒートシンクはベースの対応する切欠きに組付けられ、別に二つのヒートシンクの隣り合わない一側辺がそれぞれ第１冷却ファンと第２冷却ファンに対応し、二つの冷却ファンの羽根の回転方向が同じとされている。これにより、第１冷却ファンが外界の風を二つのヒートシンク部分に導入し、さらに第２冷却ファンが二つのヒートシンク部分の熱を外に吸い出し、ゆえに二つの冷却ファンの一方が導入し、一方が排出する動作により、全体の冷却装置内の空気流通が加速され、冷却効果が高まる。
【０００９】
本考案はまた、各ヒートシンク中に複数のヒートパイプが内蔵されて冷却装置の体積を減らしている。そのうち、第１ヒートシンクは直立するよう配列された複数のフィンが重ね置かれてなり、これらフィンにコ形ヒートパイプが設けられ、該コ形ヒートパイプの一方の自由端がこれらフィンに通され、もう一方の自由端がベースに設けられた凹溝中に設置される。第２ヒートシンクは横向き配列された複数のフィンが重ね置かれてなり、これらフィンに複数のＬ形ヒートパイプが組み合わされ、これらＬ形ヒートパイプの一方の自由端はこれらフィンに通され、もう一方の自由端は導熱板の上に設置され、該導熱板がベースの底面に設置される。
【実施例１】
【００１０】
図２を参照されたい。本考案の冷却装置の導風装置は、その最良の実施例において、冷却装置１０がＣＰＵ２０（図７）の冷却に用いられ、且つ該冷却装置１０は二つのヒートシンク２、３を具えている。
【００１１】
そのうち、冷却装置１０はベース１を具え、該ベース１の中間部分がＣＰＵ２０の上表面に当接され、ベース１の四周よりそれぞれ凸塊１１が延伸され、これら凸塊１１にバネ１２１を巻装したネジ部品１２が挿入され、これらネジ部品１２により冷却装置１０がプリント回路板３０に固定される（図５参照）。また、ベース１の一側の適当な位置にネジ部品１３で相互に一定距離を離間された二つの固定片１４が固定されている。
【００１２】
図２、３に示されるように、本考案中、ベース１の上に相互に隣り合う第１ヒートシンク２と第２ヒートシンク３が設けられ、そのうち、第１ヒートシンク２は全体がベース１の上に位置し、且つベース１に設けられた二つの固定片１４に近接し、該第１ヒートシンク２は直立するよう配列された複数のフィン２１が重ね置かれてなり、これらフィン２１にコ形ヒートパイプ２２が組み合わされ、該コ形ヒートパイプ２２がこれらフィン２１中に内蔵され、該コ形ヒートパイプ２２内部に毛細組織及び作業流体が設けられて、毛細組織及び作業流体の作動により冷却の効果を達成する。コ形ヒートパイプ２２の一方の自由端２２１はこれらフィン２１に挿通され、もう一方の自由端２２２はベース１の中間部分に設けられた凹溝１５に設置される。
【００１３】
第２ヒートシンク３は複数の横向き配列されたフィン３１が重ね置かれてなり、これらフィン３１に複数のＬ形ヒートパイプ３２が挿通され（図７）、これらＬ形ヒートパイプ３２はこれらフィン３１中に内蔵され、これらＬ形ヒートパイプ３２内部に毛細組織と作業流体が設けられ、該毛細組織及び作業流体の作動により冷却の効果を達成する。これらＬ形ヒートパイプ３２の一方の自由端３２１はこれらフィン３１に挿通され、もう一方の自由端３２２は導熱板３３の上に設置され、該導熱板３３はベース１の底面に固定されて、第２ヒートシンク３がベース１の一側辺の上方部分に宙に浮いた状態で保持され、並びに第１ヒートシンク２と隣り合う。
【００１４】
本考案中、該導風装置はベース１の少なくとも一側に切欠き１６が形成され、該切欠き１６がちょうどＣＰＵ２０の近隣のその他の電子装置４０に対応し（図５）、第１ヒートシンク２の対応部分にも切欠き２３が設けられている。
【００１５】
図５に示されるように、第１ヒートシンク２と第２ヒートシンク３の隣り合わない側辺に、相互に対応する第１冷却ファン４と第２冷却ファン５が設けられ、該第１冷却ファン４はネジ部品４１で二つの固定片１４の間に固定され、第１ヒートシンク２の側辺に位置し、第２冷却ファン５は、その二つの相互に対応する側辺が下向きに延伸されて位置決め片５１が設けられ、二つの位置決め片５１がプリント回路板３０に螺子止めされ、且つ第２ヒートシンク３の外側辺部分に位置する。第１、第２冷却ファン４、５の羽根の回転方向は同じとされ、即ち、第１冷却ファン４は外界の風を隣り合う第１ヒートシンク２と第２ヒートシンク３部分に導入し、第２冷却ファン５は第１ヒートシンク２と第２ヒートシンク３部分の伝導する熱を外界に排出する。
【００１６】
図３、６に示されるように、本考案の冷却装置１０を組み立てる時は、第１ヒートシンク２をベース１の上に組み付け、並びにそのコ形ヒートパイプ２２の一方の自由端２２２をベース１の凹溝１５中に設置し、次に、第２ヒートシンク３のＬ形ヒートパイプ３２の一端に固定された導熱板３３をベース１の底面部分に固定して第２ヒートシンク３をベース１の一側の上方部分に宙づり状態となるようにし、並びに第１ヒートシンク２と隣り合わせる。
【００１７】
続いて第１冷却ファン４をベース１に設けられた二つの固定片１４中に螺子止めし、第１ヒートシンク２の一側に位置させ、最後にベース１及び第２冷却ファン５をプリント回路板３０に固定して、第２冷却ファン５を第２ヒートシンク３の一側に当接させる。冷却装置１０をプリント回路板３０に固定する時、そのベース１はＣＰＵ２０の上を被覆し、ＣＰＵ２０の周辺の電子装置４０がベース１の側辺に設けられた切欠き１６部分に位置し、これにより冷却装置１０の組立が完成する。
【００１８】
図７に示されるように、本考案の冷却装置１０が作動する時、第１冷却ファン４がその羽根の回転方向により外界の風を第１、第２ヒートシンク２、３部分に導入し、外界の風の比較的低い温度を利用して冷却を行ない、且つコ形ヒートパイプ２２及びＬ形ヒートパイプ３２により冷却を行なう。次に、第２冷却ファン５がその羽根の回転方向により第１、第２ヒートシンク２、３部分の熱を外界に吸い出し、熱が第１、第２ヒートシンク２、３部分に累積するのを防止する。
【００１９】
さらに、ＣＰＵ２０周辺のその他の電子装置４０はベース１の切欠き１６部分に位置し、且つ第１ヒートシンク２に設けられた切欠き２３に対応するため、その他の電子装置４０の運転時に発生する熱は第１ヒートシンク２の切欠き２３に直接伝導され、並びに第１冷却ファン４の送る外界の自然風が第２ヒートシンク３部分に吹きつけられ、さらに第２冷却ファン５により外界に吸い出され、ＣＰＵ２０周辺のその他の電子装置４０も快速に冷却するという目的が達成される。
【００２０】
以上の説明から分かるように、本考案の構造により、ＣＰＵ２０周辺のその他の電子装置４０の冷却の効果も達成される。且つ第１及び第２冷却ファン４、５の一方が導入し、一方が排出する動作により全体の冷却装置１０内の空気流が加速され、ゆえに全体の冷却装置１０の冷却効率が増す。並びに直接コ形ヒートパイプ２２及びＬ形ヒートパイプ３２に対する冷却を行ない、これによりコ形ヒートパイプ２２とＬ形ヒートパイプ３２の運転効率を高め、コ形ヒートパイプ２２とＬ形ヒートパイプ３２の使用寿命を増すことができる。また、コ形ヒートパイプ２２、Ｌ形ヒートパイプ３２は第１、第２ヒートシンク２、３中に内蔵されるため、全体の冷却装置１０の面積を減らすことができる。
【００２１】
以上述べたように、本考案の冷却装置は以上の構造により確実に上述の機能を達成できる。且つ本考案の構造はその出願前に頒布された刊行物に記載がなく、また公開使用されていないため、新規性を有している。なお、以上の実施例に伴いなしうる細部の修飾或いは改変は、いずれも本考案の請求範囲に属するものとする。
【図面の簡単な説明】
【００２２】
【図１】周知の冷却装置の立体外観図である。
【図２】本考案の冷却装置の立体分解図である。
【図３】本考案の冷却ファンの組付け前の外観図である。
【図４】図３の断面図である。
【図５】本考案の冷却装置と冷却ファンをプリント基板に組み付ける前の外観図である。
【図６】本考案の冷却装置と冷却ファンをプリント基板に組み付けた後の外観図である。
【図７】本考案の冷却装置の動作状況を示す断面図である。
【符号の説明】
【００２３】
１０ａ  冷却装置                    ２０ａ  ＣＰＵ
１ａ  導熱板                        ２ａ  ヒートシンク
２１ａ  フィン                      ３ａ  覆い
４ａ  冷却ファン
１０  冷却装置                      １  ベース
１１  凸塊                          １２１  バネ
１２、１３、４１  ネジ部品
１４  固定片                        １５  凹溝
１６  切欠き
２  第１ヒートシンク                ２１、３１  フィン
２２、３２  ヒートパイプ
２３  切欠き
３  第２ヒートシンク
３３  導熱板                        ４  第１冷却ファン
５  第２冷却ファン                  ５１  位置決め片
２０  ＣＰＵ                        ３０  プリント回路板
２２１、２２２、３２１、３２２  自由端
４０  電子装置
【図１】
0003104468.tif 000003
【図２】
0003104468.tif 000004
【図３】
0003104468.tif 000005
【図４】
0003104468.tif 000006
【図５】
0003104468.tif 000007
【図６】
0003104468.tif 000008
【図７】
0003104468.tif 000009